(57)【特許請求の範囲】
【請求項１】
顧客又は販売店の注文に従ってリムを所定形状に成形する眼鏡フレームの製造・販売連携システムであって、
リム線を玉型に巻いて、前記顧客又は前記販売店の注文に応じた異なる形状の複数種類のリムの基本となるベースリムを形成し、前記ベースリムに所定の部品を取り付ける工程と、
前記顧客又は前記販売店から前記注文を受け付ける工程と、
前記ベースリムの周囲から所定の押圧力を付与して前記ベースリムを変形させ、前記ベースリムを平面視して前記注文に応じた所定形状のリムに仕上げる工程と、
を有することを特徴とする眼鏡フレームの製造・販売連携システム。
【請求項２】
前記顧客又は前記販売店の注文に従って入力された注文情報のリム形状から、前記ベースリムに付与すべき前記押圧力の大きさと位置とを決定することを特徴とする請求項１に記載の眼鏡フレームの製造・販売連携システム。
【請求項３】
前記販売店に前記押圧力を付与するための成形型を準備し、前記販売店にて顧客の注文に応じた形状にリムを成形することを特徴とする請求項１又は２に記載の眼鏡フレームの製造・販売連携システム。
【請求項４】
リム線を玉型に巻いてレンズを保持するリムを形成する眼鏡フレームの製造方法において、
前記リム線を玉型に巻いて、顧客又は販売店の注文に応じた異なる形状の複数種類のリムの基本となるベースリムを形成する工程と、
前記ベースリムに、所定の部品を取り付ける工程と、
前記顧客又は前記販売店からの注文情報に基づいて、前記ベースリムの周囲に付与する押圧力の位置と大きさを決定する工程と、
前記ベースリムに押圧力を付与して変形させ、前記ベースリムを平面視して注文情報に応じた形状のリムに仕上げる工程と、
を有することを特徴とする眼鏡フレームの製造方法。
【請求項５】
前記所定の部品を取り付け、必要な研磨及びメッキ処理を施して前記ベースリムを有する眼鏡フレームを形成した後に、前記ベースリムに押圧力を付与することを特徴とする請求項４に記載の眼鏡フレームの製造方法。
【請求項６】
ブリッジ及びブローチと前記ベースリムとの連結部を、前記ベースリムの中心を通る直線上に配置したことを特徴とする請求項４又は５に記載の眼鏡フレームの製造方法。
【請求項７】
前記ベースリムを所定形状に形成するための成形型を準備し、この成形型に前記ベースリムを押し当てることで前記注文情報に応じたリムを成形することを特徴とする請求項４〜６のいずれかに記載の眼鏡フレームの製造方法。
【発明の詳細な説明】
【技術分野】
【０００１】
本発明は、レンズを保持するリムを備えた眼鏡フレームの製造と販売を連携するためのシステム及びこのシステムに適した眼鏡フレームの製造方法に関する。
【背景技術】
【０００２】
例えばフルリム形眼鏡フレームは、リム線を予め設計された形状に合わせて玉型に巻いてリムを成形し、左右一対の前記リムにブリッジやブローチ等の部品を取り付けて研磨・メッキした後、テンプルや鼻パッド等の部品を取り付けて組み立てる、という工程を経て製造されるのが一般的である。
眼鏡フレームは、消費者の流行や嗜好に合わせて毎年多種多様のものが企画・設計され、販売数を見込んで立案された生産計画に基づいて、所定のデザインの眼鏡フレームが製造される。
【０００３】
また、販売店においては、眼鏡フレームメーカーから納品された多種多様のデザインの眼鏡フレームを店舗に配列し、消費者は多種多様のデザインの中から自分の好みに合ったデザインの眼鏡フレーム（製品）を選んで購入しているのが現状である。
しかし、このような従来の眼鏡フレームの製造及び販売形態では、販売店や眼鏡フレームメーカーにおいて、多種多様のデザインの製品をストックしておかねばならず、そのための多大なスペースが必要となるうえ、消費者の好みや嗜好から外れたデザインの製品が在庫として残り、廉価販売や廃棄処分によって多大なコスト負担を強いられているのが現状である。
【０００４】
そのため、各部品を容易に着脱できるようにし、部品の組み合わせの多様化により多種多様の眼鏡フレームに対応できるようにしようとする試みがなされている。
【０００５】
例えば、特許文献１，２，３には、リムを備えたフロントとテンプルとをブローチ（智）部分で容易に着脱できるようにした眼鏡フレームが提案されている。
また、特許文献４，５，６には、テンプルだけでなく、リムとブリッジ及びブローチ等の部品を、鑞付でなく嵌め込みや磁石によって連結し、これらを簡単に着脱できるようにした眼鏡フレームも提案されている。
さらに、特許文献６に記載の眼鏡フレームのように、弾性を有する鼻脚と、リムに設けたピンとを係合させることで、リムを交換自在としたものも提案されている（例えば特許文献７参照）。
また、樹脂フレームにおいては、マシニングセンタ等の工作機械を用いて削成により所定形状のリムを形成するものが提案されている（例えば特許文献８参照）。
【先行技術文献】
【特許文献】
【０００６】
【特許文献１】特開２００４−１１７４９５号公報
【特許文献２】特表２００６−５１８０４７号公報
【特許文献３】特開２００７−３３４１２９号公報
【特許文献４】特開平７−２８７１９７号公報
【特許文献５】実用新案登録第３０１９９９９号公報
【特許文献６】実開平５−２７７１９号公報
【特許文献７】特開２００７−２７９４９５号公報
【特許文献８】特開平９−７０９０１号公報
【発明の開示】
【発明が解決しようとする課題】
【０００７】
これら文献に記載の眼鏡フレームは、各部品を着脱自在にすることで眼鏡フレームの多様化に対応しようとするものであり、販売店や眼鏡フレームメーカーにおける在庫数の削減や、消費者におけるデザインの選択幅の拡大など、一定の効果が得られる。
しかし、上記文献の中には、特許文献４〜７のように、リムについて交換自在としたものが示されているものの、種々の形状のリムについて、予め成形して在庫としてストックしておかなければならない、という問題点は依然として解決されていない。また、特許文献８に記載の技術は樹脂製のリムの形成には適用が可能であるものの、金属製のリムには適用が困難で、かつ、マシニングセンタ等の高額な自動加工機が必要となって却ってコストが高くなるという問題がある。
【０００８】
本発明はこのような問題を解決するためになされたもので、リムについても在庫数の削減と消費者におけるデザイン選択幅の拡大に対応することのできる眼鏡フレームの製造・販売連携システム及びこのシステムに用いられる眼鏡フレームの製造方法の提供を目的とする。
【課題を解決するための手段】
【０００９】
上記目的を達成するために本発明は、顧客又は販売店の注文に従ってリムを所定形状に成形する眼鏡フレームの製造・販売連携システムであって、リム線を玉型に巻いて、前記顧客又は前記販売店の注文に応じた異なる形状の複数種類のリムの基本となるベースリムを形成し、前記ベースリムに所定の部品を取り付ける工程と、前記顧客又は前記販売店から前記注文を受け付ける工程と、前記ベースリムの周囲から所定の押圧力を付与して前記ベースリムを変形させ、前記ベースリムを平面視して前記注文に応じた所定形状のリムに仕上げる工程とを有する眼鏡フレームの製造・販売連携システムとして構成してある。
ここで、「所定の部品」には、ブリッジ及びブローチの他、鼻脚、テンプル、モダン、鼻パッド及びデモレンズ等が含まれる。
ベースリムを成形する際の前記ベースリムに付与すべき前記押圧力の大きさと位置とは、前記顧客又は前記販売店の注文に従って入力された注文情報のリム形状に従うようにする。
ベースリムの成形は、眼鏡フレームメーカーで行ってもよいし、販売店に前記押圧力を付与するための成形型を準備することで、販売店でも成形が可能になる。
【００１０】
上記のシステムに用いられる眼鏡フレームの製造方法は、リム線を玉型に巻いてレンズを保持するリムを形成する眼鏡フレームの製造方法において、前記リム線を玉型に巻いて、顧客又は販売店の注文に応じた異なる形状の複数種類のリムの基本となるベースリムを形成する工程と、前記ベースリムに、所定の部品を取り付ける工程と、前記顧客又は前記販売店からの注文情報に基づいて、前記ベースリムの周囲に付与する押圧力の位置と大きさを決定する工程と、前記ベースリムに押圧力を付与して変形させ、前記ベースリムを平面視して注文情報に応じた形状のリムに仕上げる工程とを有する方法としてある。ベースリムに前記所定の部品を取り付け、必要な研磨及びメッキを施して眼鏡フレームを形成した後に、前記ベースリムに押圧力を付与するようにしてもよい。
また、ブリッジ及びブローチと前記ベースリムとの連結部は、前記ベースリムの中心を通る直線上に配置するとよい。
前記ベースリムを所定形状に成形するための成形型を準備し、この成形型に前記ベースリムを押し当てることで前記注文情報に応じたリムを成形するようにしてもよい。
【発明の効果】
【００１１】
本発明によれば、顧客や販売店の注文に応じたリムを共通のベースリムから低コストで簡単に成形することができ、眼鏡フレームメーカー及び販売店における眼鏡フレームの在庫数を大幅に削減することができる。
また、本発明の製造方法では、前記ベースリムの中心を通る直線上にブリッジやブローチを配置することで、成形の際のこれらの位置ずれを最小にすることができ、ベースリムから所定形状のリムへの成形を容易にすることができる。
また、本発明は、顔の大きさや目の間隔といった顧客の個人差に応じて、前記ベースリムを当該顧客にとって最適な装着性のリムに成形することにも適用が可能である。
【発明を実施するための最良の形態】
【００１２】
本発明の眼鏡フレームの製造方法の好適な実施形態を、図面を参照しながら詳細に説明する。
図１は、本発明の眼鏡フレームの製造・販売連携システムの一実施形態を示すフローチャートである。
【００１３】
［ベースリムを有する眼鏡フレームの製造］
販売店（図のＩのステップ）では、顧客から好みのリム形状の注文を受け付け（ステップＳ１１）、リム形状を含む注文情報を作成して眼鏡フレームメーカーに送信する（ステップＳ１２）。注文情報の作成はＰＣ等の電子機器を用いて行うことができ、注文情報の送信はＦＡＸやＥメール等の通信手段を使って行うことができる。
眼鏡フレームメーカー（図のIIのステップ）では、予め一定形状のベースリムを形成しておく。このベースリムは、所定位置に所定の大きさの押圧力を付与することで注文情報に応じた形状のリムを成形するためのベースとなるもので、従来のリムと同様にリム線を玉型に巻いて形成することができる。材質ややげんの形状なども従来のリムと同じである。
【００１４】
図３にベースリムの形状の例を示す。基本となるベースリム１の形状は、成形しようとするリムの形状に応じていくつか準備しておくとよい。
例えば楕円形のように丸みの強いリムを形成するには、図３（ａ）（ｂ）に示すような楕円形や円形といった丸形のベースリム１を使用すると成形がしやすい。また、例えば四角形やヘキサゴン形のように角形のリムを形成するには、図３（ｃ）に示すような角形状のベースリム１を使用すると成形がしやすい。
【００１５】
そして、図４に示すように、左右のベースリム１，１をブリッジ３で連結し、左右のベースリム１，１の両端にブローチ２を取り付け、必要な研磨やメッキを行ってベースリム１を有する眼鏡フレームを形成する（ステップＳ２１）。ブリッジ３及びブローチ２の他に、鼻脚やテンプルを取り付けてもよい。また、鼻パッドやモダンを取り付けてもよい。
ベースリム１とブリッジ３やブローチ２との連結部は、ベースリム１，１の中心Ｏ，Ｏを通る中心線Ｃ上に配置するとよい。このようにすることで、ベースリム１の周囲から押圧力を付与してベースリム１を変形させ、所定形状のリムに成形する過程で、ブリッジ３やブローチ２の位置の変化を最小にすることができるという利点がある。
【００１６】
販売店からの注文情報を受信すると（ステップＳ２２）、眼鏡フレームメーカーでは当該注文情報に含まれるリムの形状情報から、ベースリムの成形データを形成する。
この成形データは、ベースリム１のどの部分にどれだけの大きさの押圧力を付与すればよいかを、過去の経験値や実測データに基づいて作成することができる。また、部分的に曲げ加工が必要な部位には、例えば図示するような当て型６を用いて、押圧力Ｐの付与方向と逆向きに力が作用するようにすればよい。
これらデータをベースリム及び成形後のリムの形状に関連付けてマニュアル化又はデータベース化することにより、熟練者でなくてもベースリムから所定形状のリムを成形することができる。
【００１７】
また、データベース化により成形を機械化又は自動化することも可能である。
例えば、図６に示すように、ピン状又は棒状の押圧型５を、ベースリム１に付与する押圧力Ｐの位置に応じて配置し、各押圧型５に成形データに基づいた押圧力Ｐを付与するようにする。押圧型５は、金属で形成してもよいが、樹脂や木材のような比較的軟質の材料で形成してもよい。
押圧型５への押圧力Ｐの付与は、螺旋機構によるものの他、エアや作動油による流体圧シリンダを用いて行うことができる。
【００１８】
以上の手順でベースリム１を所定形状のリム１′に成形した後は、仕上げを行った後に完成品として販売店に発送される（ステップＳ２４，２５）。
図７は、図３のベースリム１から成形が可能なリム１′を有する眼鏡フレームの例を示す図である。このように、一種又は数種のベースリム１から多種多様な形状のリム１′を成形することが可能である。
完成品を受け取った販売店では、顧客に製品を受け渡すことで全工程が完了する（ステップＳ１３，Ｓ１４）。
【００１９】
なお、上記したように、ベースリム１から所定形状のリム１′に成形する過程をマニュアル化又はデータベース化することで、販売店においてもベースリム１を成形することが可能になる。
この場合は、図２に示すように、販売店は予め一種又は複数種のベースリム１を有する眼鏡フレーム（完成品に必要な全ての部品を含み、かつ、研磨処理、メッキ処理、仕上げ処理等が完了したもの）を仕入れておき（ステップＳ１０）、顧客から注文を受け付けて（ステップＳ１１）ただちにベースリムの成形に必要なデータを作成する（ステップＳ２３）。そして、販売店の中でベースリムの成形・仕上げを行う（ステップＳ２４）。これにより、注文を受けてから顧客渡し（ステップＳ１４）までの時間を大幅に短縮することができるほか、他店には無い新たなサービスを前面に押し出して優位に事業を展開することが可能になる。
【００２０】
本発明の好適な実施形態について説明したが、本発明は上記の説明に限定されるものではない。例えば、本発明が適用可能な眼鏡フレームはフルリムタイプのものに限らず、ハーフリムタイプのものも含まれる。また、金属リムに限らず、樹脂リムにも適用が可能で、この場合は、押圧力ととともに加熱をするようにすればよい。
【図面の簡単な説明】
【００２１】
【図１】本発明の眼鏡フレームの製造・販売連携システムの一実施形態を示すフローチャートである。
【図２】本発明の眼鏡フレームの製造・販売連携システムの他の実施形態を示すフローチャートである。
【図３】ベースリムの形状の例を示す図である。
【図４】ベールリムを有する眼鏡フレームの一例を示す図である。
【図５】ベースリムの所定箇所に所定の大きさの押圧力を付与して、ベースリムを注文情報に応じた形状のリムに成形する様子を示す図である。
【図６】ベースリムへの押圧力の付与を押圧型によって行う一例を示す図である。
【図７】図３のベースリム１から成形が可能なリム１′を有する眼鏡フレームの例を示す図である。
【符号の説明】
【００２２】
１          ベースリム
１′          リム
２            ブローチ（智）
３            ブリッジ
５            押圧型
６            当て型
【要約】
【課題】  リムについて在庫数の削減と消費者におけるデザイン選択幅の拡大に対応することのできる眼鏡フレームの製造・販売連携システムを提供する。
【解決手段】  顧客又は販売店の注文に従ってリムを所定形状に成形する眼鏡フレームの販売システムにおいて、リム線を玉型に巻いて基本となるベースリムを形成し、前記ベースリムに所定の部品を取り付ける工程と、前記注文を受け付ける工程と、前記ベースリムの所定位置に所定の押圧力を付与して、前記ベースリムを前記注文に応じた所定形状のリムに仕上げる工程とを有する。
【選択図】  図１【図１】
0005496378.tif 000002
【図２】
0005496378.tif 000003
【図３】
0005496378.tif 000004
【図４】
0005496378.tif 000005
【図５】
0005496378.tif 000006
【図６】
0005496378.tif 000007
【図７】
0005496378.tif 000008